(57)【要約】【課題】外装仕上材を、簡素な構造で高強度かつ容易に取付けできる外装仕上材の取付構造を得る。【解決手段】押出成形セメント板４１の表面上部に形成された上部凸条６３と、押出成形セメント板４１の表面下部に形成された下部凸条６７と、上部凸条６３に係止する鋭角に折り曲げられた掛止片７３が上辺部に沿って形成されるとともに、下部が下部凸条６７に螺合手段７５を介して係合される中継取付板７１と、背面の少なくとも横方向の二カ所に中継取付板７１が固定される外装仕上材６９とを具備し、外装仕上材６９に固定された中継取付板７１の掛止片７３を上部凸条６３に掛止するとともに、中継取付板７１の下部を螺合手段７１を介して下部凸条６７に係合させた。【選択図】図１
2006225907.tif 000002
【特許請求の範囲】
【請求項１】
押し出し方向を横方向にして建物躯体に張られる押出成形セメント板と、
該押出成形セメント板の表面上部に、押し出し方向に延在して一体成形され上端面が前記表面に向かって下り勾配となる引っ掛け面で形成された上部凸条と、
前記押出成形セメント板の表面下部に、押し出し方向に延在して一体成形され下端面が前記表面に向かって上がり勾配となる傾斜面で形成された下部凸条と、
前記上部凸条の前記引っ掛け面に係止する鋭角に折り曲げられた掛止片が上辺部に沿って形成されるとともに、下部が前記下部凸条の前記傾斜面に螺合手段を介して係合される中継取付板と、
背面の少なくとも横方向の二カ所に該中継取付板が固定される外装仕上材とを具備し、
前記外装仕上材に固定された前記中継取付板の前記掛止片を前記上部凸条の引っ掛け面に掛止するとともに、該中継取付板の下部を前記螺合手段を介して前記下部凸条の傾斜面に係合させたことを特徴とする外装仕上材の取付構造。
【請求項２】
前記外装仕上材が、保水性を有するガーデンマットからなり、
前記中継取付板の下部に支持板が設けられ、
前記ガーデンマットの取り付けられた前記押出成形セメント板が上下方向に複数張られることで形成された前記ガーデンマット同士間の間隙には、所定の間隔で散水管と水切プレートが前記支持板に取り付けられたことを特徴とする請求項１記載の外装仕上材の取付構造。
【発明の詳細な説明】
【技術分野】
【０００１】
本発明は、押出成形セメント板を用いて建物の外壁に外装仕上材を取り付ける外装仕上材の取付構造に関し、特に、外装仕上材を、簡素な構造で高強度かつ容易に取付けできるようにした改良技術に関する。
【背景技術】
【０００２】
従来より、押出成形セメント板を外壁として建物躯体に取り付け、表面に各種外装仕上材を取り付けることが行なわれている。押出成形セメント板への仕上げとしては、塗装、タイル張り、石張りなどが行なわれている。押出成形セメント板は、中空で断面形状を自由にできることから、押出成形セメント板の表面に溝を設けて石やタイルなどの外装仕上材を引っ掛けて取り付けたり、中空部を利用して仕上材を留め付けたりすることも行なわれている。
【０００３】
例えば特許文献１には、溝を表面に設けた押出成形セメント板にセラミックタイル（外装仕上材）を引っ掛け、金具で留め付ける複合建材が開示されている。図７に示すように、押出成形セメント板１は片面蟻溝の凹部３を有し、この凹部３は一方の側壁は蟻溝５の形状であり、他方の側壁は垂直で、その側壁にはその外側端部に突起部７を有し、これにより側壁には該突起部７で囲まれた側壁凹部９がセメント板１の奥行きに沿って形成されている。凹部３にセラミックタイル１１の裏面に形成された凸部１３を嵌合する。ついでセメント板１とセラミックタイル１１の間の空間に取付け金具１５を配置する。この取付け金具１５は、取付け金具の内側にはスプリングコイル型のバネ１７が付設されている。このバネ１７の自由端は、セメント板１の凹部３の側壁凹部９に嵌合され、突起部７により揺動が防止される。また金具１５の他方の端部は、セラミックタイル１１の上端に引っかけて係合している。
【０００４】
また、特許文献２には、押出成形セメント板表面に凹部を設け、凹部内にアンカーボルトを介して金物により仕上材を取り付ける肉厚外装材の取付構造が開示されている。図８に示すように、石綿セメント中空板２１の外表面２３に凹部を形成し、この凹部の背部に補強金物２５を配設するとともに、凹部内においてアンカーボルト２７を介して補強金物２５をファスナー２９に固着し、ファスナー２９に設けたダボピン３１を肉厚外装材３３の端面に穿設したダボ穴３５に嵌入して取り付けている。
【０００５】
【特許文献１】特開平７−２０７８７６号公報
【特許文献２】実公平５−４９９号公報
【発明の開示】
【発明が解決しようとする課題】
【０００６】
しかしながら、特許文献１に開示される複合建材は、押出成形セメント板に蟻溝を設け、仕上材を引っ掛けるため、施工性は良いものの、取り付けることのできるものが、タイルや石など、仕上材裏面側に引っ掛けるためのリブ（凸部１３）が設けられたものに限られてしまう。また、リブでタイルなど外装仕上材を固定することから、強度も要求され、大型のタイルなどではこの構造を用いることができなかった。さらに、一度取り付けると、破損した場合に取替えなどが困難であった。
一方、特許文献２に開示される肉厚外装材の取付構造は、押出成形セメント板の中空部を利用して仕上材を取り付けるのに、押出成形セメント板の表面に穴を開け、アンカーなどを設置して留付けを行なっていたため、表面に穴を開けることで、外装仕上材と押出成形セメント板の間の空間に浸入した水が、穴から中空部に浸入し、さらにそれが室内側にも浸入する恐れがあった。また、この穴が、熱や遮音性の低下を招くなど、外壁としての性能を低下させる要因となる恐れがあった。そして、一度取り付けると、破損した場合に取替えなどが困難であった。また、穴開け加工によるコストアップも避けられなかった。
本発明は上記状況に鑑みてなされたもので、外装仕上材を、簡素な構造で高強度かつ容易に取付けできる外装仕上材の取付構造を提供することにある。
【課題を解決するための手段】
【０００７】
上記目的を達成するための本発明に係る請求項１記載の外装仕上材の取付構造は、押し出し方向を横方向にして建物躯体に張られる押出成形セメント板と、該押出成形セメント板の表面上部に、押し出し方向に延在して一体成形され上端面が前記表面に向かって下り勾配となる引っ掛け面で形成された上部凸条と、前記押出成形セメント板の表面下部に、押し出し方向に延在して一体成形され下端面が前記表面に向かって上がり勾配となる傾斜面で形成された下部凸条と、前記上部凸条の前記引っ掛け面に係止する鋭角に折り曲げられた掛止片が上辺部に沿って形成されるとともに、下部が前記下部凸条の前記傾斜面に螺合手段を介して係合される中継取付板と、背面の少なくとも横方向の二カ所に該中継取付板が固定される外装仕上材とを具備し、前記外装仕上材に固定された前記中継取付板の前記掛止片を前記上部凸条の引っ掛け面に掛止するとともに、該中継取付板の下部を前記螺合手段を介して前記下部凸条の傾斜面に係合させたことを特徴とする。
【０００８】
この外装仕上材の取付構造では、外装仕上材に中継取付板が取り付けられ、この中継取付板の掛止片が押出成形セメント板の上部凸条に引っ掛けられるとともに、中継取付板の下部が下部凸条の傾斜面に係合されることで、外装仕上材が中継取付板を介して押出成形セメント板に取り付けられる。したがって、外装仕上材には押出成形セメント板に直接取り付けするための凸部の形成されている必要がなくなる。これにより、凸部に十分な強度を得ることのできなかった大型のタイルなどが高い安全性で取り付け可能となる。また、中空部にアンカー等を設ける従来構造のように、押出成形セメント板の表面に穴を開ける必要もない。さらに、中継取付板と一体となった外装仕上材は、螺合手段の螺合解除を行うのみで取り外すことができ、また、新たな外装仕上材は中継取付板掛止片の引っ掛けと下部凸条への螺合のみで取り付けられる。
【０００９】
請求項２記載の外装仕上材の取付構造は、前記外装仕上材が、保水性を有するガーデンマットからなり、前記中継取付板の下部に支持板が設けられ、前記ガーデンマットの取り付けられた前記押出成形セメント板が上下方向に複数張られることで形成された前記ガーデンマット同士間の間隙には、所定の間隔で散水管と水切プレートが前記支持板に取り付けられたことを特徴とする。
【００１０】
この外装仕上材の取付構造では、外装仕上材を高強度に取り付けるための中継取付板が利用されて、支持板が付設可能となり、上下方向で隣接するガーデンマット同士間の間隙に、この支持板によって、散水管又は水切プレートが取り付け可能となる。
【発明の効果】
【００１１】
本発明に係る請求項１記載の外装仕上材の取付構造によれば、外装仕上材に中継取付板を取り付け、この中継取付板を、押出成形セメント板の上部凸条に引っ掛け、下部凸条に係合させて取り付けるので、外装仕上材には押出成形セメント板に直接取り付けするための凸部の形成されている必要がない。これにより、凸部に十分な強度を得ることのできなかった大型のタイル等を高い安全性で取り付けることができる。また、中空部にアンカー等を設ける従来構造のように、押出成形セメント板の表面に穴を開ける必要がないので、漏水の発生を防止できるとともに、熱や遮音性の低下を招く等、外壁としての性能低下を防止することとができる。さらに、中継取付板と一体となった外装仕上材は、螺合手段の螺合解除を行うのみで取り外すことができ、また、新たな外装仕上材は中継取付板掛止片の引っ掛けと下部凸条への螺合のみで取り付けできるので、取り外し・取り付けを容易に行え、高い交換作業性を確保することができる。
【００１２】
本発明に係る請求項２記載の外装仕上材の取付構造によれば、外装仕上材を高強度に取り付けるための中継取付板を利用して、支持板を付設することが可能となり、上下方向で隣接する外装仕上材同士間の間隙に、この支持板によって散水管又は水切プレートを取り付けることができ、外装仕上材にガーデンマットを用いた緑化パネルの給排水構造を、少ない部品による簡素な構造で、容易にかつ効果的に構成することができる。
【発明を実施するための最良の形態】
【００１３】
以下、本発明に係る外装仕上材の取付構造の好適な実施の形態を図面を参照して説明する。
図１は本発明に係る外装仕上材の取付構造を表す縦断面図、図２は図１のＡ−Ａ矢視図、図３は図２のＢ−Ｂ矢視図、図４は図１に示した押出成形セメント板の縦断面図、図５は図１に示した取付構造の変形例を表す縦断面図である。
図１に示すように、建物の躯体である鉄骨柱３１の外面３３にはブラケット３５が溶接固定されている。このブラケット３５には断面Ｌ字形の上下に延在するアングル材３７の一方の片部３７ａが溶接固定されている。したがって、アングル材３７は、他方の片部３７ｂが鉄骨柱３１の外面３３と平行となって上下に延在する。
【００１４】
このアングル材３７の片部３７ｂにはＺクリップ３９を介して押出成形セメント板４１が取り付けられている。すなわち、押出成形セメント板４１の中空部４３にはプレートナット４５が挿入され、押出成形セメント板４１の背面４７にはＺクリップ３９の一端を貫通したボルト４９がプレートナット４５に螺合されている。押出成形セメント板４１は、背面４７がパッキン５１を介してアングル材３７の片部３７ｂに当接されている。つまり、押出成形セメント板４１は、背面４７と、この背面４７に固定されたＺクリップ３９とで片部３７ｂを挟持してアングル材３７に取り付けられている。また、押出成形セメント板４１は、上下に隣接する複数枚毎に、アングル材３７に溶接固定された支持アングル５３によって下端が支持されている。
【００１５】
押出成形セメント板４１は、押し出し成形方向に中空部４３が形成されている。本実施の形態による取付構造では、押出成形セメント板４１の押し出し方向が横方向となるように、押出成形セメント板４１が建物躯体に張り付けられる（所謂「横張り」とも称す）。図４に示すように、押出成形セメント板４１は、上辺部が凸部５５，下辺部が凹部５７に形成され、上下で隣接する押出成形セメント板４１、４１同士は、これら凸部５５と凹部５７とを嵌合させて連結される。押出成形セメント板４１、４１同士の間に形成される目地には、ガスケットＧ、シーリングＳが設けられる。
【００１６】
押出成形セメント板４１の表面５９の上部には、押し出し方向に延在して一体成形され、上端面が表面５９に向かって下り勾配となる引っ掛け面６１で形成された上部凸条６３が設けられている。また、押出成形セメント板４１の表面５９の下部には、押し出し方向に延在して一体成形され、下端面が表面５９に向かって上がり勾配となる傾斜面６５で形成された下部凸条６７が設けられている。引っ掛け面６１及び傾斜面６５は、表面５９との成す角度αが略５０度程度となるように形成される。
【００１７】
押出成形セメント板４１の表面５９には、これら上部凸条６３、下部凸条６７を利用して外装仕上材６９が取り付けられる。外装仕上材６９は、中継取付板であるアタッチメント７１を介して取り付けられる。アタッチメント７１は、上部凸条６３の引っ掛け面６１に係止する鋭角に折り曲げられた掛止片７３が上辺部に沿って形成されるとともに、下部が下部凸条６７の傾斜面６５に螺合手段であるボルト７５を介して係合される。
【００１８】
本実施の形態において、アタッチメント７１は、上下方向に長い短冊状に形成される。アタッチメント７１は、外装仕上材６９の背面の少なくとも横方向の二カ所に固定される。本実施の形態では、図２に示すように、外装仕上材６９の背面に、５つのアタッチメント７１が固定される。アタッチメント７１の大きさは、押出成形セメント板４１の大きさに合わせて作成する。ボルト７５は、概ね３００〜６００ｍｍ間隔で押出成形セメント板４１の幅に応じて留め付ける。また、アタッチメント７１と外装仕上材６９とは、ボルトやアンカーなどで直接留め付ける。
【００１９】
外装仕上材（表面装飾材）６９としては、石、タイル、太陽電池パネル、緑化パネルなどを取り付けることができるが、アタッチメント７１で取り付けることができる外装仕上材６９であればこれに限定されない。また、押出成形セメント板４１の形状は、アタッチメント７１を取り付けることのできる形状であれば図例の形状に限定されるものではない。
【００２０】
このようにして、外装仕上材６９に固定されたアタッチメント７１の掛止片７３を、上部凸条６３の引っ掛け面６１に掛止するとともに、アタッチメント７１の下部をボルト７５を介して下部凸条６７の傾斜面６５に係合させることで、外装仕上材６９は、アタッチメント７１を介して押出成形セメント板４１の表面５９に取り付けられることになる。
【００２１】
また、上記の取付構造では、アタッチメント７１の下部に螺合したボルト７５を、押出成形セメント板４１に設けた下部凸条６７の傾斜面６５に直接係合させる例を説明したが、本発明に係る取付構造は、その他、図５に示すように、Ｌ字状の金具７７を用い、アタッチメント７１の下部を、ボルト７５を介して螺合した金具７７によって傾斜面６５に固定するものであってもよい。このような取付構造の変形例によれば、アタッチメント７１の下部を垂直状態に形成して下部凸条６７に固定でき、下部に曲げ部７９（図１参照）を形成する構造に比べ、ラフな寸法精度での取付けが可能となり、上下方向のアタッチメント７１の製造精度を緩和することができる。
【００２２】
したがって、この外装仕上材６９の取付構造によれば、外装仕上材６９にアタッチメント７１を取り付け、このアタッチメント７１を、押出成形セメント板４１の上部凸条６３に引っ掛けるとともに、下部凸条６７に係合させて取り付けるので、外装仕上材６９には押出成形セメント板４１へ直接取り付けするための凸部を形成する必要がない。これにより、凸部に十分な強度を得ることのできなかった大型のタイル等を高い安全性で取り付けることができる。また、中空部４３にアンカー等を設ける従来構造のように、押出成形セメント板４１の表面５９に穴を開ける必要がないので、漏水の発生を防止できるとともに、熱や遮音性の低下を招く等、外壁としての性能低下を防止することとができる。さらに、アタッチメント７１と一体となった外装仕上材６９は、ボルト７５の螺合解除を行うのみで取り外すことができ、また、新たな外装仕上材６９はアタッチメント掛止片７３の引っ掛けと下部凸条６７への螺合のみで取り付けできるので、取り外し・取り付けを容易に行え、高い交換作業性を確保することができる。
【００２３】
次に、本発明に係る外装仕上材の取付構造の第２の実施の形態を説明する。
図６は本発明に係る取付構造の第２の実施の形態を表す縦断面図である。なお、図１〜図４に示した部材と同一の部材には同一の符号を付し、重複する説明は省略するものとする。
この実施の形態による取付構造では、外装仕上材６９が、保水性を有するガーデンマット６９Ａからなる。このガーデンマット６９Ａは、例えばヤシノミ繊維を圧縮保形して作られる。また、アタッチメント７１の下部には支持板８１が設けられている。支持板８１は、例えばガーデンマット６９Ａとアタッチメント７１との間に挟着される。
【００２４】
この取付構造では、ガーデンマット６９Ａの取り付けられた押出成形セメント板４１が上下方向に複数張られることで、ガーデンマット６９Ａ同士間に間隙８３が形成される。この複数の間隙８３には、所定の間隔で散水管８５が支持板８１に取り付けられ、最下部には水切プレート８７が支持板８１に取り付けられる。散水管８５の取り付け間隔は、緑化物の種類によって変えることができる。また、散水管８５は、ガーデンマット６９Ａが取り付けられた押出成形セメント板（緑化パネル）毎に取り付けたり、緑化パネル複数枚（段）毎に取り付けるものであってもよい。  水切プレート８７は、散水した水が押出成形セメント板４１の下部から滴下し、下側の緑化していない押出成形セメント板４１を汚すのを防止するよう、滴下水を受けて排水する。この水切プレート８７は、基本的には、最下段の緑化パネルに取り付けられるが、中間部分に取り付けられるものであってもよい。
【００２５】
したがって、この取付構造によれば、ガーデンマット６９Ａを高強度に取り付けるためのアタッチメント７１を利用して、支持板８１を付設することが可能となり、上下方向で隣接するガーデンマット６９Ａ同士間の間隙８３に、この支持板８１によって散水管８５又は水切プレート８７を取り付けることができる。その結果、外装仕上材６９にガーデンマット６９Ａを用いて構成した緑化パネルなどの給排水構造を、少ない部品による簡素な構造で、容易にかつ効果的に構成することができる。
【図面の簡単な説明】
【００２６】
【図１】本発明に係る外装仕上材の取付構造を表す縦断面図である。
【図２】図１のＡ−Ａ矢視図である。
【図３】図２のＢ−Ｂ矢視図である。
【図４】図１に示した押出成形セメント板の縦断面図である。
【図５】図１に示した取付構造の変形例を表す縦断面図である。
【図６】本発明に係る取付構造の第２の実施の形態を表す縦断面図である。
【図７】従来の複合建材における要部を拡大した縦断面図である。
【図８】従来の肉厚外装材の取付構造を表す縦断面図である。
【符号の説明】
【００２７】
３１…鉄骨柱（建物躯体）、４１…押出成形セメント板、４７…背面、５９…表面、６１…引っ掛け面、６３…上部凸条、６５…傾斜面、６７…下部凸条、６９…外装仕上材、６９Ａ…ガーデンマット、７１…アタッチメント（中継取付板）、７３…掛止片、７５…ボルト（螺合手段）、８１…支持板、８３…間隙、８５…散水管、８７…水切プレート
【図１】
2006225907.tif 000003
【図２】
2006225907.tif 000004
【図３】
2006225907.tif 000005
【図４】
2006225907.tif 000006
【図５】
2006225907.tif 000007
【図６】
2006225907.tif 000008
【図７】
2006225907.tif 000009
【図８】
2006225907.tif 000010